(57)【要約】【課題】広告を作製するための方法、及びこの方法に従って作製された広告を提供する。【解決手段】本発明による方法は、第１工程において、記憶媒体に記憶された個々の画像情報を画像加工のために準備し、続いて行われる画像加工工程中、個々の情報を、画像の部分ではない広告情報と少なくとも部分的に入れ替え、次の工程で、個々に記録された残りの画像情報、及び画像の部分ではない広告情報をポジ材料に転写することを特徴とする。本発明の方法に従って作製された広告は、個々に記録された画像情報、及びこの画像の部分ではない広告情報を含む。広告情報は、部分的に又は全体が、個々に記録された画像情報と所定領域で重なっている。
2004508604.tif 000002
【特許請求の範囲】
【請求項１】
広告手段を作製するための方法において、
第１工程において、記憶媒体に記憶された個々の写真情報を写真加工のために準備し、
続いて行われる写真加工工程中、個々の写真情報を、写真とは無関係の広告情報と少なくとも部分的に入れ替え、
次の工程で、個々に記録された残りの写真情報、及び写真とは無関係の広告情報をポジ材料に転写することを特徴とする方法。
【請求項２】
第１工程において、個々の写真情報を担持するネガフィルムを現像し、続いて行われる写真ポジ材料への写真転写工程中、個々の写真情報を担持するネガを通して、及び写真とは無関係の広告情報を担持する追加の情報キャリヤを通して露光し、その結果、作製された広告は、個々に記録された画像情報、及び写真とは無関係の広告情報を含むプリントからなり、前記広告情報は個々に記録された写真と視覚的に一体化されることを特徴とする、請求項１に記載の方法。
【請求項３】
写真ポジ材料の露光は、個々の写真情報を担持するネガを通して、及び写真とは無関係の広告情報を担持する追加の情報キャリヤを通して同時に行われることを特徴とする、請求項２に記載の方法。
【請求項４】
写真ポジ材料の露光は、個々の写真情報を担持するネガを通して、及び写真とは無関係の広告情報を担持する追加の情報キャリヤを通して、互いに時間的に及び空間的に別々に行われることを特徴とする、請求項２に記載の方法。
【請求項５】
第１工程において、第１位置で、個々の写真情報を担持するネガを通して写真ポジ材料を露光し、写真とは無関係の広告情報を担持するようになった写真ポジ材料の領域は、光が入射しないようにマスクによってシールドされており、続いて行われる第２工程において、第２位置で、未露光の写真ポジ材料の領域を、写真とは無関係の広告情報を担持する追加の情報キャリヤを通して露光することを特徴とする、請求項４に記載の方法。
【請求項６】
写真とは無関係の広告情報を担持する追加の情報キャリヤは、アナログネガフィルム、又はデジタルの個々に作動できるＬＣＤネガマスクであることを特徴とする、請求項２乃至５のいずれかに記載の方法。
【請求項７】
第１工程において、個々の写真情報を担持するネガフィルムを現像し、
続いて行われる工程において、ハイブリッド技術によってネガフィルムをデジタル化し、デジタル形態でホストコンピュータに中間的に記憶し、
次のデジタル加工で、適当なソフトウェアによって、個々に記録された写真情報を、少なくとも部分的に、写真とは無関係の広告情報と入れ替え、この方法で得られた広告情報及び個々の情報の組み合わせからなる写真を記憶することを特徴とする、請求項１に記載の方法。
【請求項８】
デジタルカメラで記録した個々の写真情報を含むファイルを記憶媒体からホストコンピュータに伝送した後、適当なソフトウェアで更にデジタル加工するために開き、個々に記録された写真情報を、少なくとも部分的に、写真とは無関係の広告情報と入れ替え、この方法で得られた広告情報及び個々の情報の組み合わせからなる写真を記憶することを特徴とする、請求項１に記載の方法。
【請求項９】
個々の写真の一つ又はそれ以上の決定可能な領域を、この決定された領域が広告情報についてだけコード化され、オリジナルの個々の情報がこの写真領域で削除されるように、広告情報によって完全に覆うことを特徴とする、請求項７又は８に記載の方法。
【請求項１０】
透明な形態で追加されるべき広告情報を、個々の写真の部分領域が広告情報によって完全には覆われておらず、変更された形態のオリジナルの個々の写真情報が、広告情報を担持する領域を見る人に認識できるように色彩及び／又は明度が変更されるように、個々の写真情報と組み合わせることを特徴とする、請求項７又は８に記載の方法。
【請求項１１】
広告情報は、同様に、ホストコンピュータに記憶され、又はホストコンピュータによって外部記憶ユニットから呼び出すことができ、広告情報を写真ごとに変えることができるように、複数の広告情報ファイルが記憶され且つ呼び出すことができることを特徴とする、請求項７又は８に記載の方法。
【請求項１２】
中間的に記憶された組み合わせられた写真を写真ネガ材料に露光し、これを現像し、定着し、乾燥させ、次いで、個々の写真情報及び一体化された広告情報を担持するこのようなネガを通して写真ポジ材料を露光することを特徴とする、請求項７又は８に記載の方法。
【請求項１３】
中間的に記憶された組み合わせられた写真を写真ポジ材料に露光することを特徴とする、請求項７又は８に記載の方法。
【請求項１４】
中間的に記憶された組み合わせられた写真をポジ材料にプリントすることを特徴とする、請求項７又は８に記載の方法。
【請求項１５】
方法の全ての工程を自動機械ステーションで実施することを特徴とする、請求項８に記載の方法。
【請求項１６】
方法の全ての工程を、ハードディスクを変更した及び／又はソフトウェアを変更した家庭用デジタルプリンターで実施することを特徴とする、請求項８に記載の方法。
【請求項１７】
個々に記録された写真情報、及び写真とは無関係の広告情報を含み、決定可能な領域の広告情報が個々に記録された写真情報を部分的に又は完全に覆う、広告手段。
【請求項１８】
個性化された広告を写真プリントの形態で作製するための方法において、個々に露光したネガフィルム又は対応するデジタル記憶媒体を顧客が写真プロセッサに送り、この写真プロセッサは、顧客によって送られた個々の写真情報を、写真とは無関係の広告材料が写真に一体化された視覚的に認識できる形態で適当なポジ媒体上に変換し、この方法で作製された個性化された広告を顧客に送り戻す、方法。
【発明の詳細な説明】
【０００１】
本発明は、特許請求の範囲第１項の前提部分に従って広告を作製するための方法及び特許請求の範囲第１６項の前提部分による広告手段に関する。
【０００２】
広告を行う部署にとって、広告予算の増大にも拘わらず、彼等のメッセージを人々の間に、又は、潜在的顧客、訪問者又は有権者に浸透させるのが益々困難になってきている。一方、対象となる人々の広告メッセージに対する刺激閾値が高くなっており、これと同時に興味を引く時間の長さがかつてなく短くなっている。他方、影響を受ける人々が広告メッセージを受け入れる準備が益々無くなってきている。このことは、それ自体、次のような形で様々な分野についていえる。
テレビでの広告の時間になれば、視聴者は直ぐに切り替えてしまい、
新聞での広告は数分の一秒でめくり返され、
いわゆる「ロビンソン−リスト」を使い、郵便受けに広告物がこないようにする家庭が増えており、
インターネットのサーフィン時に広告ウィンドウが、非常に容易にインストールできる無料のソフトウェアによって削除されてしまう。
【０００３】
最も低下した広告の最も古い分野は、出版及び印刷媒体である。新聞や雑誌における広告等を別として、最近、折り込み広告やちらしが強調されている。このような手書きちらしは、大きな努力を払ってつくられており、人が配って回り、多くの場合、僅かの時間のうちに読まれないままに捨てられることとなる。広告した物品や催物を少なくとも小さな集団が認知するようにするために何回も何回も繰り返さなければならない。この広告の効率が低いことの最も印象的な例としては、スポーツや音楽のイベントが行われたときに大量の紙ゴミが街角に捨てられていることが挙げられる。
【０００４】
本出願人は、無料葉書の形態の広告を市場で非常に首尾よく確立した。これについては、表側に広告印刷がなされた葉書を、訪れる人が多い、人通りのある公共の場所に設けられた葉書スタンドで無料で提供した。葉書の送り手は、スタンドから彼の好みに従って選択し、次いで、これを通常郵便で受け手に送る。かくして、各カードの広告情報は、少なくとも二人の人によって認知される。更に、この広告は、使用者がカードを最終的にはとっておき、読まずに捨てることがないため、極めて効率的であり且つ恩恵的である。従って、ランダムに配付される通常の同様の不特定の手渡しのちらしや折り込み広告よりもかなり少数の広告手段でかなり大きな人の輪ができる。しかしながら、送り手及び受け手は、多くの場合、広告情報が載せられたカードの表側ではなく、個人的なメッセージが書かれたカードの裏側に興味があるのである。各場所において、複数の広告テーマを提供するけれども、通行人はカードを取ってそれを送るのに十分な興味を引く対象物を見つけることがないことが度々ある。
【０００５】
広告−マーケッティング産業には、知られている広告では、広告情報が対象となる人々のできるだけ多くに届き、これらの人々が広告情報にできるだけ頻繁にできるだけ長く、且つできるだけ強く出会うような所望の程度を保証することができないという問題点がある。
【０００６】
本発明の目的は、上述したような問題点のない、広告を作製するための方法、及び新たな広告手段を利用できるようにする方法を提供することである。
【０００７】
この目的は、このような広告を作製するための請求項１の特徴部分に記載の方法、及び請求項１７の特徴部分に記載の、個性化された広告手段によって達成される。
【０００８】
この他の実施の形態は、従属項から導かれる。
【０００９】
添付図面には、本発明の要旨の幾つかの実施の形態が示してあり、これらの実施の形態を以下に説明する。
【００１０】
本発明は、広告手段（広告媒体）を個性化すると、広告に含まれる広告情報の受け手の関心が高まるという知識を利用する。新たな広告の対象となる人々は、一方ではアマチュア写真家であり、これらの写真家が撮影した写真を見る全ての人々である。本発明による方法によれば、広告情報及び個々に記録された写真情報を一つの写真で互いに組み合わせる広告手段が提供される。個々に記録された写真情報に観察者が大きな関心を持つため、同時に目に入る広告情報もまた大きな注意を引く。
【００１１】
アマチュア写真家が、例えば図１に出願人のロゴ（Ｌｏｇｏ）で示すような、本発明に従って作製された広告を受け入れるようにするための動機として、現像及び印刷の費用について値下げを適用したり無料にしたりしてもよい。アマチュア写真家は、彼の写真に明瞭に見える広告ロゴ又は他の広告メッセージを自発的に受け入れることはほとんどないため、広告担当者は、現像及び／又は印刷に要する費用を完全に又は部分的に肩代わりすることを提案し、これにより彼の広告情報を写真に入れることができる。値下げは、例えば、広告情報の占有面積に応じて等級分けしてもよい。
【００１２】
以下において、幾つかの例として、本発明による製造方法の特徴について説明する。
【００１３】
〔例１：従来の写真、従来の現像、及びポジ材料の従来の露光〕
アマチュア写真家は、彼の好みに従って通常の方法で、個々に選択された写真モチーフを、例えば小写真（ｓｍａｌｌ−ｐｉｃｔｕｒｅ）又はＡＰＳフォーマットで、カラー又は白黒のネガフィルムに露光する。彼は、ネガフィルムを写真現像所に直接送るか、或いは写真現像所に急送するため、写真屋又は他の受け入れ場所に投函する。図２に示すように、写真現像所で周知の現像プロセス５によって、ネガフィルムを現像し、定着し、乾燥する。次いで、個々の写真情報を担持するネガ２を通して写真ポジ材料６を露光する。露光時に、所望の広告情報を備えたマスク３をネガの真上又は真下に配置し、その結果、写真とは無関係の広告情報が、写真ポジ材料６上に、個々の写真情報に加えて結像される。本発明の好ましい実施の形態による、このマスク３は、透明度が高いＬＣＤマスクであり、このマスクは、外部制御ユニット７によって、例えば自動現像機の制御コンピュータによって協働作動され、露光手順中に、写真とは無関係の広告情報が表示される。ＬＣＤマスク３上に移された広告情報の位置、大きさ、明暗度及び方法は、写真プロセッサによって選択することができ、適当なソフトウェアによって制御された態様で定着される。
【００１４】
本発明による方法の別の実施の形態では、写真ポジ材料を個々の写真情報及び写真とは無関係の広告情報で同時に露光するのではなく、時間的に及び空間的に食い違った態様で露光する。好ましくは、この二段階露光に関し、第１工程では、写真ポジ材料を個々の写真情報を含むネガを通して露光する。この工程では、写真とは無関係の広告情報を載せる写真ポジ材料領域は、光が当たらないようにマスクで遮蔽しなければならない。続いて行われる第２工程では、第２マスク又は広告情報を含む第２ネガによって、広告情報を、ポジ材料の未露光領域上に露光する。かくして、部分的な二重露光を阻止し、これにより広告の品質が向上する。
【００１５】
広告情報をそのままの状態でポジ写真又はプリントで一体化する際、ネガフィルムには変更が加えられず、プリントとともにアマチュア写真家に届けられ、又は彼ら自身がこれらのプリントを写真屋で受け取ることができる。ネガフィルムが、専ら、個々の写真情報を、正確にアマチュア写真家が露光した通りに含むため、本発明による方法が受け入れられる。アマチュア写真家又は消費者が一つ又はそれ以上の写真から広告情報なしのプリントを所望する場合には、ネガが変更されていないため、写真現像所又は写真ラボラトリーでいつでもプリントすることができる。
【００１６】
〔例２：従来の写真、第１ネガ媒体の従来の現像及び製造、デジタル中間加工、第２ネガフィルムの製造、及びポジ材料の従来の露光〕
この例では、本発明による方法によるハイブリッド技術の適用を説明する。
【００１７】
アマチュア写真家は、個々に選択された写真モチーフを通常の方法で彼の好みに従ってカラー又は白黒ネガフィルムに、例えば小写真又はＡＰＳフォーマットで露光する。彼は、ネガフィルムを写真現像所に直接送るか、或いは写真現像所に急送するため、写真屋又は他の受け入れ場所に投函する。図２に示すように、写真現像所で周知の現像プロセス５によって、ネガフィルムを現像し、定着し、乾燥する。次いで、アナログのオリジナル写真、かくしてネガフィルム２をスキャナー１０でデジタル化する。個々のデジタル写真データは、更に加工するまで、ホストコンピュータ１１の個々に特徴付けられたファイルに記憶される。次いで、加工されるべきファイルを開き、適当なソフトウェアプログラムによって広告情報を個々の写真情報と組み合わせる。これと同時に、個々の写真の一つ又はそれ以上の決まった領域を広告情報で完全に覆う。そのため、各写真点即ち特定の領域のピクセルが広告情報だけをコード化し即ち記憶し、オリジナルの個々の情報をこの写真点のところで消去する。
【００１８】
加えられるべき広告情報は、更に、多かれ少なかれ透明な形態で、例えばデジタル透かし模様として個々の写真情報と組み合わせられてもよい。この場合、個々の写真の部分領域は広告情報で完全に覆われているのではなく、変更されているに過ぎない。広告情報が載った、この決まった領域の各写真点即ちピクセルは、色彩及び／又は明度が変更されており、そのため、この場合には、観察者はオリジナルの個々の情報を変更された形態で知るのであるが、これと同時に、広告情報がこれらの領域に見えるように重なっている。広告情報は、同様に、ホストコンピュータ１１に記憶され、または外部メモリーユニットによりホストコンピュータから呼び出すことができる。複数の広告情報ファイルが記憶されており且つ呼び出される場合には、広告情報を写真ごとに変えることができる。２４枚の個々に記憶された写真の順番に関し、例えば、新たな広告モチーフを写真ごとに一体化することができる。同様に、広告情報を含む領域の選択、位置及び大きさを、写真プロセッサによって選択することができ、適当なソフトウェアによって制御された態様で定着することができる。
【００１９】
所望の一枚の又は一連の写真を含む、このようにして形成されたファイルを再び中間的に記憶し、次いで、撮影ユニット１２によって写真ネガ材料に露光する。これを再び現像し、定着し、乾燥する。次いで、周知の方法で、個々の写真情報及び一体化された広告情報が載ったこのようなネガを通して写真ポジ材料６を露光する。
【００２０】
広告情報が広告手段１に変更できないように一体化されているけれども、オリジナルネガフィルム２には変更が加えられないままであり、例１による方法におけるのと同様に、アマチュア写真家に広告手段とともに送られ、又は彼が写真屋から受け取ることができる。
【００２１】
〔例３：デジタル写真及びポジ材料のデジタル露光〕
アマチュア写真家は、彼の好みに従って、個々に選択された写真モチーフをデジタルカメラで記録し、これを適当な記憶媒体に記憶する。デジタル写真が始まったばかりであり、ハードウェア製造者が標準的記憶媒体にも、標準化したファイルフォーマットのいずれにも合意していないため、現在、非常に様々なファイルフォーマット（ＴＩＦＦ、ＪＰＥＧ、ＪＰＥＧ２０００、ＢＭＰ、ＰＣＸ、ＷＭＦ等）及び様々な周知の記憶媒体が考えられている。フロッピーディスクやジップディスク及びジャズディスク等の現在の磁気的メモリー、或いはフラッシュメモリーやＰＣカード及びメモリースティック等のＲＡＭメモリーが、デジタルカメラに適用される。小型化されたハードディスク駆動装置が市場に出されようとしている。ＣＤやＤＶＤ及びＭＯ等の光学的又は磁気的／光学的媒体が考えられている。デジタル写真カメラの代わりにデジタルビデオカメラで写真を撮影することができ、又は個々の写真情報を磁気テープに又はビデオカセットに記憶することができる。記憶媒体即ちデータキャリヤは、デジタル写真家によって写真現像所に直接送られるか、或いは写真屋又は現像所に伝送するための他の受け入れ位置に持っていかれる。更に、写真情報は、写真現像所に記憶媒体を持っていかなくても伝送することができる。かくして、写真家は、例えば、個々の写真データを記憶媒体から写真現像所のターミナル即ち注文ステーションにダウンロードすることができる。彼は、写真をターミナルのモニターで元の態様で見ることができる。次いで、個々の写真を選択し、プリントを所望のフォーマットで注文し、切断し、仕上げる。
【００２２】
個々の写真情報が入ったファイルを、次に加工するまで写真現像所でホストコンピュータに記憶する。加工されるべきファイルを開き、適当なソフトウェアプログラムによって、広告情報を個々の写真情報と組み合わせる。これと同時に、個々の写真の一つ又はそれ以上の所定の領域を広告情報で完全に覆うことができ、その結果、この所定の領域の各写真点即ちピクセルは、このとき、広告情報だけをコード化し即ち記憶し、この写真点のオリジナルの個々の情報は削除される。情報の削除は問題ではない。これは、デジタル写真家がオリジナルのファイルを記憶しているためである。オリジナルのファイルが記憶媒体とともに送られた場合には、媒体には変更がなされないままであり、写真家に戻される。追加されるべき広告情報は、多かれ少なかれ透明な形態で、例えばデジタル透かし模様として個々の写真情報と組み合わせることもできる。この場合、個々の写真の部分領域は広告情報で完全に覆われるのでなく、変更されているに過ぎない。この所定の領域の、広告情報を含む各写真点即ちピクセルは、写真を見る人が、広告情報にも拘わらず、変更された形態のオリジナルの個々の情報を認識できるように色彩及び／又は明度が変更してあるが、これと同時に、広告情報はこれらの領域に見えるように重ねられている。広告情報は、同様に、ホストコンピュータに記憶されるか、或いは外部メモリーユニットによりホストコンピュータから呼び出される。ファイルされた複数の広告情報が記憶され、呼び出されることができる場合には、広告情報を写真ごとに変えることができる。２４枚の個々に撮影された写真からなる一連の写真に関し、新たな広告モチーフを一体化することができる。広告情報を載せる領域の選択、位置及び大きさは、同様に、写真プロセッサによって選択され、適当なソフトウェアによって、制御された態様で定着される。
【００２３】
次いで、写真乳剤に浸漬する。かくして、個々の写真情報の他に、写真とは無関係の広告情報を写真ポジ材料上に追加で結像する。このようなポジ写真即ちプリントは、実際、従来のプリントと予想寿命及び価格が同じである。写真品質は、今日使用されているデジタルカメラの解像度が低いため、小写真又はＡＰＳフィルムよりも劣るが、これは、高性能のデジタルカメラが市場に投入されるに従って急速に変化している。得られる写真品質は、少なくとも、アマチュア写真家が望む品質に関して受け入れることができるものである。完成した広告手段をアマチュア写真家に送るか、或いはこれらの手段を写真屋又は注文ステーションから得ることもできる。
【００２４】
アマチュア写真家又は消費者が広告情報なしの一枚又はそれ以上のプリントを望む場合には、オリジナルファイル又はそのコピーを用いて写真現像所でいつでも広告なしのプリントをつくることができる。
【００２５】
〔例４：従来の写真、従来の現像、及びポジ材料のデジタル露光〕
例２で既に説明したように、アマチュア写真家は、彼の好みに従って通常の方法で、個々に選択された写真モチーフをカラーの又は白黒のネガフィルムに露光する。彼は、ネガフィルムを写真現像所に直接送るか、或いは写真現像所に急送するため、写真屋又は他の受け入れ場所に投函する。写真現像所では、周知の現像プロセスによってネガフィルムを現像し、定着し、乾燥する。次いで、アナログ写真のオリジナルを、上述したハイブリッド技術に従ってデジタル化する。個々のデジタル写真データは、個々に特徴付けられたファイルで更に加工が行われるまで、ホストコンピュータに記憶される。次いで、加工されるべきファイルを開き、適当なソフトウェアプログラムによって、例２及び例３に既に説明したように、広告情報を個々の写真情報と組み合わせる。以下の例に更に詳細に説明するように、次いで、個々の写真情報及び一体化された広告情報を含む所望の写真が入った、かくして形成されたファイルを再び中間的に記憶し、その後、適当なポジ材料上にプリントし、又は適当なポジ材料上にデジタルで露光する。
【００２６】
〔例５：デジタル写真及びプリントのデジタル印刷〕
例３による方法と同様に、アマチュア写真家は、個々に選択された写真モチーフを彼の好みに従って記録し且つ記憶する。この場合、記録媒体が写真現像所に送られ、或いは写真屋又は他の受け入れ場所に投函され、或いは上述した写真現像所のターミナル即ち注文ステーションで記憶される。ターミナルでは、未加工の写真を見ることができ、個々の写真を選択することができ、プリントを所望のフォーマット、カット、仕上げで注文することができる。写真現像所では、個々の写真情報が入ったファイルを記憶し、ホストコンピュータで更に加工する。加工されるべきファイルを開き、例３で既に説明したように適当なソフトウェアプログラムによって広告情報を個々の写真情報と組み合わせる。個々の写真情報及び一体化した広告情報を含む所望の写真が入った、かくして形成されたファイルを、この場合も、中間的に記憶し、次いで、プリントする。プリントは、好ましくは、インクジェットプリンター、熱昇華プリンター又はカラーレーザープリンターによって適当なポジ材料上に行われる。
【００２７】
完成した広告をアマチュア写真家に送るか、或いは彼らが自身で写真屋で又はターミナルの場所で受け取る。
【００２８】
〔例６：デジタル写真及びデジタル印刷〕
以下の例は、例５で説明した方法の実施の形態とは、ハードウェア及び／又はソフトウェアが変更されたデジタルプリンターを家庭用のために適用した点で異なっている。プリンターをインターフェースを介してパソコンに接続するか、或いはデジタルカメラに直接接続する。例えばミニＨＤＤ又はメモリースティック等の記憶媒体をコンピュータの適当な受け入れ装置に直接導入することもできる。個々の写真情報が入ったファイルを開き、例３に既に説明したように、適当なソフトウェアプログラムによって広告情報を個々の写真情報と組み合わせる。次いで、個々の写真情報及び一体化した広告情報を含む、かくして形成されたファイルを印刷する。プリンターは、各印刷ごとに広告情報が写真と一体化されるようにハードウェア及び／又はソフトウェアに関して変更がなされている。消費者側でのこの製造技術の魅力は、プリンター又は消費材料に関して価格低減がなされるということである。
【００２９】
〔例７：デジタル写真、及び自動機械ステーションでのプリントのデジタル印刷又はデジタル露光〕
本発明による製造方法のこの実施の形態では、全ての工程は自動機械ステーションで行われる。個々に取り除かれ且つ記憶された写真モチーフを含む記憶媒体を適当なドライブに入れ、又はターミナル又は自動機械ステーションの適当な導入スロットに入れる。オリジナルファイルは、ターミナルのホストコンピュータに記憶され、開かれる。モニターでは、写真を未加工の形態で見ることができ、個々の記録が選択され、写真品質を改善するために所望に従って様々なプログラムで加工することができる。所望のプリント即ちプリントアウトを所望のフォーマットで入力し、切断し、仕上げる。この追加の情報をオリジナル写真情報と一緒に第２写真ファイルとして記憶するか、或いはオリジナル写真情報を含むファイルとリンクした新たな制御ファイルを記憶する。次いで、第２写真ファイル、又はオリジナルファイル及び制御ファイルを開き、既に例３で説明したように、適当なソフトウェアプログラムによって広告情報を個々の写真情報と組み合わせる。個々の写真情報及び一体化した広告情報を含む、所望の写真が入ったかくして形成されたファイルを、この場合も、中間的に記憶し、次いで、自動機械で例３に説明したようにポジ材料に露光するか、或いは例５に説明したように印刷する。
【００３０】
プリント又は印刷は、自動機械ステーションで直接行われ、そのため顧客は完成した広告手段を短時間で受け取ることができる。
【図面の簡単な説明】
【図１】
個性化された広告手段を示す図である。
【図２】
本発明の一実施の形態による製造方法の手順の概略図である。
【図３】
本発明の別の実施の形態による別の製造方法の概略図である。
【図２】
2004508604.tif 000003
【国際公開パンフレット】
2004508604.tif 000004
2004508604.tif 000005
2004508604.tif 000006
2004508604.tif 000007
2004508604.tif 000008
2004508604.tif 000009
2004508604.tif 000010
2004508604.tif 000011
2004508604.tif 000012
2004508604.tif 000013
2004508604.tif 000014
2004508604.tif 000015
2004508604.tif 000016
2004508604.tif 000017
2004508604.tif 000018
2004508604.tif 000019
2004508604.tif 000020
2004508604.tif 000021
2004508604.tif 000022
2004508604.tif 000023
2004508604.tif 000024
2004508604.tif 000025
2004508604.tif 000026
2004508604.tif 000027
【国際調査報告】
2004508604.tif 000028
2004508604.tif 000029
2004508604.tif 000030
2004508604.tif 000031